(57)【要約】【課題】  複数の家電機器が存在する状況において、広告の出力タイミングを制御する技術を提供する。【解決手段】  ネットワークを介して互いに通信可能な複数の家電機器を備える家電システムにおいて、前記複数の家電機器のそれぞれは、広告を出力する出力部と、前記出力部に前記広告を出力することを示す出力情報を、前記複数の家電機器のうちの他の家電機器に供給する供給部と、前記複数の家電機器のうちの特定の家電機器から前記特定の家電機器の前記出力部に広告を出力することを示す特定の出力情報が受信されると、前記出力部への前記広告の出力を禁止する出力制御部と、を備えていてもよい。【選択図】図３
2019114971.tif 000002
【特許請求の範囲】
【請求項１】
ネットワークを介して互いに通信可能な複数の家電機器を備える家電システムであって、
前記複数の家電機器のそれぞれは、
広告を出力する出力部と、
前記出力部に前記広告を出力することを示す出力情報を、前記複数の家電機器のうちの他の家電機器に供給する供給部と、
前記複数の家電機器のうちの特定の家電機器から前記特定の家電機器の前記出力部に前記広告を出力することを示す特定の出力情報が受信されると、前記出力部への前記広告の出力を禁止する出力制御部と、を備える、家電システム。
【請求項２】
前記供給部は、前記ネットワークに対して同報通知を利用して、前記出力情報を前記他の家電機器に送信する、請求項１に記載の家電システム。
【請求項３】
前記複数の家電機器のそれぞれは、さらに、前記特定の家電機器までの距離に関連する距離情報を取得する取得部を備え、
前記出力制御部は、前記特定の出力情報が受信される場合であって、取得済みの前記距離情報が前記特定の家電機器までの距離が所定の範囲内であることを表す場合に、前記出力部への前記広告の出力を禁止する、請求項１又は２に記載の家電システム。
【請求項４】
前記複数の家電機器のそれぞれは、さらに、当該家電機器からの距離に関連する信号を発信する信号発信部を備え、
前記取得部は、前記距離情報として、前記特定の家電機器から発信済みの前記信号を取得する、請求項３に記載の家電システム。
【請求項５】
前記複数の家電機器のそれぞれは、さらに、当該家電機器の周囲に使用者が位置していることを判断する判断部を備え、
前記出力部は、前記使用者が位置していると判断される場合に、前記広告を出力する、請求項１から４のいずれか一項に記載の家電システム。
【請求項６】
前記複数の家電機器のそれぞれは、さらに、
前記出力部で出力中の前記広告を中断させ、中断したことを示す中断情報を、他の前記家電機器に供給する、中断情報供給部を、備え、
前記出力部は、前記中断情報が取得される場合に、前記広告を途中から出力する、請求項１から５のいずれか一項に記載の家電システム。
【請求項７】
ネットワークを介して他の家電機器に通信可能な家電機器であって、
広告を出力する出力部と、
前記出力部に前記広告を出力することを示す出力情報を、前記他の家電機器に供給する供給部と、
前記他の家電機器から前記特定の家電機器の出力部に広告を出力することを示す特定の出力情報が受信されると、前記出力部への前記広告の出力を禁止する出力制御部と、を備える、家電機器。
【発明の詳細な説明】
【技術分野】
【０００１】
本明細書に開示する技術は、家電システム及び家電機器に関する。
【背景技術】
【０００２】
広告主から受信される宣伝情報を処理して、処理結果を画面に表示する家電機器が知られている。家電機器では、ネットワークに接続されており、ネットワークを介して広告主から宣伝情報を受信する。例えば、電子レンジでは、使用者がタッチパネルをタッチすると、宣伝情報によって表される宣伝広告が表示される。
【先行技術文献】
【特許文献】
【０００３】
【特許文献１】特開２００１−９０９５３号公報
【発明の概要】
【発明が解決しようとする課題】
【０００４】
家庭や店舗には、複数の家電機器が配置されている。複数の家電機器のそれぞれが独自のタイミングで広告を出力しても、使用者が当該家電機器の広告が確認されない事態が生じ得る。
【０００５】
本明細書では、複数の家電機器が存在する状況において、広告の出力タイミングを制御する技術を提供する。
【課題を解決するための手段】
【０００６】
本明細書には、ネットワークを介して互いに通信可能な複数の家電機器を備える家電システムが開示される。前記複数の家電機器のそれぞれは、広告を出力する出力部と、前記出力部に前記広告を出力することを示す出力情報を、前記複数の家電機器のうちの他の家電機器に供給する供給部と、前記複数の家電機器のうちの特定の家電機器から前記特定の家電機器の前記出力部に広告を出力することを示す特定の出力情報が受信されると、前記出力部への前記広告の出力を禁止する出力制御部と、を備えていてもよい。
【図面の簡単な説明】
【０００７】
【図１】実施例に係る家電システムの構成図である。
【図２】第１実施例に係る家電機器の構成を示すブロック図である。
【図３】第１実施例に係る家電機器の広告表示処理を示すフローチャートである。
【図４】第１実施例に係る家電機器の広告禁止フラグ設定処理を示すフローチャートである。
【図５】第２実施例に係る家電機器の構成を示すブロック図である。
【図６】第２実施例に係る家電機器の広告表示処理を示すフローチャートである。
【発明を実施するための形態】
【０００８】
（第１実施例）
（家電システムの構成）
図１〜図４を参照して実施例に係る家電システム２を説明する。家電システム２は、家屋に配置される。なお、家電システム２が配置される環境は、家屋に限定されず、店舗や事務所等であってもよい。家屋は、互いに壁で仕切られた洗面浴室６、玄関９、寝室８、居間４及びトイレ７等、互いに仕切られている複数の空間を備える。
【０００９】
家電システム２は、冷蔵庫１０と、電子レンジ６０と、洗濯機７０と、音響機器８０、９０と、を備える。なお、以下では、家電機器１０、６０、７０、８０、９０と呼ぶことがある。また、家電システム２が備える家電機器は、上記の家電機器１０、６０、７０、８０、９０に限らず、テレビ、エアコン、音声認識装置等の２個以上の家電機器を備えていてもよい。音声認識装置は、例えば、使用者の音声による指示に応じて、音楽や情報を出力してもよい。冷蔵庫１０と電子レンジ６０とは、居間４に配置されている。冷蔵庫１０と電子レンジ６０とは、互いに隣り合う位置に配置されている。洗濯機７０と音響機器８０とは、洗面浴室６に配置されている。音響機器９０は、寝室８に配置されている。
【００１０】
（家電機器の構成）
次いで、家電機器１０、６０、７０、８０、９０の構成を説明する。まずは、冷蔵庫１０の構成を説明する。図２に示すように、冷蔵庫１０は、筐体１２と、表示部１４と、操作部１６と、制御部２０と、冷蔵冷凍装置３０と、開閉センサ３２と、通信モジュール４０と、近距離通信モジュール５０と、を備える。
【００１１】
筐体１２は、表示部１４、操作部１６、制御部２０、冷蔵冷凍装置３０、開閉センサ３２、通信モジュール４０及び近距離通信モジュール５０を収容している。表示部１４、操作部１６、冷蔵冷凍装置３０、開閉センサ３２、通信モジュール４０及び近距離通信モジュール５０は、図示省略した筐体１２内の配線によって、制御部２０と通信可能に接続されている。
【００１２】
表示部１４は、液晶パネルを有する。表示部１４は、制御部２０によって制御され、使用者に提供する画像を表示する。操作部１６は、設定変更ボタン等の複数のボタンを備える。操作部１６は、ユーザによってボタンが操作されると、操作されたボタンに従った信号を制御部２０に送信する。なお、変形例では、表示部１４と操作部１６は、タッチパネルを備えていてもよい。
【００１３】
冷蔵冷凍装置３０は、飲食物等を収容する収容室を有する。収容室は、冷蔵室、冷凍室等、複数に区画されていてもよい。冷蔵冷凍装置３０は、制御部２０によって、所定の温度に維持されている。なお、制御部２０は、操作部１６の設定変更ボタンが操作されると、収容室の温度設定を変更させることが可能である。開閉センサ３２は、冷蔵冷凍装置３０の扉の開閉を検知して、検知結果を制御部２０に供給する。
【００１４】
制御部２０は、ＣＰＵとＲＡＭ、ＲＯＭ等のメモリを含む。制御部２０は、図示省略した配線によって、各部１４、１６、３０、３２、４０、５０に制御可能に接続されている。制御部２０は、メモリに家電システム２の各部１４、１６、３０、３２、４０、５０を制御するためのコンピュータプログラムを格納する。制御部２０は、ＣＰＵとメモリによって、後述する広告表示処理及び広告禁止フラグ設定処理を含む様々な処理を実行する。制御部２０は、様々な処理を実行するための各種の情報を予め格納している。各種の情報は、後述する広告表示処理及び広告禁止フラグ設定処理において説明する。
【００１５】
制御部２０は、通信モジュール４０を介して、例えば家庭内のＬＡＮ（Local Area Networkの略）等の無線又は有線ネットワーク１００（以下では単に「ＬＡＮ１００」と呼ぶ）に接続されている。ＬＡＮ１００は、アクセスポイント１０２を備える。冷蔵庫１０は、ＬＡＮ１００を介して、各家電機器６０、７０、８０、９０と通信可能に接続されている。通信モジュール４０は、ＬＡＮ１００と接続するための通信インターフェイス、例えばＬＡＮインターフェイスを備える。
【００１６】
制御部２０は、さらに、通信モジュール４０を介して、インターネット１０４上の広告サーバ１１０と通信可能に接続されている。広告サーバ１１０は、家電機器１０、６０、７０、８０、９０に表示されるべき広告を表す広告情報を格納している。広告サーバ１１０は、制御部２０からの要求に応じて、広告情報を冷蔵庫１０に送信する。制御部２０は、広告情報が受信されると、制御部２０に格納する。なお、広告サーバ１１０は、同様に、他の家電機器６０、７０、８０、９０にも広告情報を送信する。
【００１７】
近距離通信モジュール５０は、例えば、Ｂｌｕｅｔｏｏｔｈ（登録商標）を備える。近距離通信モジュール５０は、近距離通信モジュール５０の通信可能範囲（例えば１ｍ）に位置する他の家電機器（本実施例では電子レンジ６０）の近距離通信モジュールと信号通信を行う。即ち、近距離通信モジュール５０を利用して信号通信を実行可能である場合、他の家電機器は、冷蔵庫１０と近距離通信モジュール５０の通信可能範囲に位置すると判断することができる。近距離通信モジュール５０の信号送受信部は、筐体１２の複数の面のそれぞれに配置されていてもよい。
【００１８】
電子レンジ６０、洗濯機７０及び音響機器８０、９０は、それぞれ、冷蔵庫１０と同様の表示部、通信モジュール、及び近距離通信モジュールを備える。また、電子レンジ６０、洗濯機７０、及び音響機器８０、９０は、それぞれ、各家電機器の機能を実行するための機能実行装置（冷蔵庫１０における冷蔵冷凍装置３０）を備える。さらに、電子レンジ６０、洗濯機７０、及び音響機器８０、９０は、それぞれ、制御部２０と同様に、表示部、通信モジュール、及び近距離通信モジュール及び機能実行装置に通信可能に接続され、各部を制御する制御部を備える。
【００１９】
（広告表示処理）
次いで、図３を参照して、家電機器１０、６０、７０、８０、９０が実行する広告表示処理を説明する。ここでは、冷蔵庫１０の制御部２０が実行する広告表示処理を説明するが、他の家電機器６０、７０、８０、９０の制御部も同様の広告表示処理を実行する。
【００２０】
広告表示処理は、冷蔵庫１０の電源がオンである間に実行される。Ｓ１２では、制御部２０は、広告を表示すべきであるか否かを監視している。制御部２０は、使用者が冷蔵庫１０を使用している場合に、広告を表示すべきであると判断する。具体的には、制御部２０は、開閉センサ３２から冷蔵冷凍装置３０の扉が開いていることを検知する検知結果が取得される場合に、使用者が冷蔵庫１０を使用していると判断する。この場合、制御部２０は、広告を表示すべきであると判断する（Ｓ１２でＹＥＳ）。なお、他の家電機器６０、７０、８０、９０の制御部は、家電機器６０、７０、８０、９０の操作部が操作される場合、あるいは、開閉部が開閉される場合に、使用者が家電機器６０、７０、８０、９０を使用していると判断し、広告を表示すべきであると判断する。
【００２１】
Ｓ１２でＹＥＳの場合、Ｓ１４において、制御部２０は、制御部２０に格納されている広告禁止フラグがオンに設定されているか否かを判断する。広告禁止フラグは、制御部２０に予め格納されており、広告禁止フラグ設定処理でオンとオフに切り替えられるフラグである。広告禁止フラグがオンに設定されている場合（Ｓ１４でＹＥＳ）、Ｓ１６以降の処理をスキップして、Ｓ１２に戻る。一方、広告禁止フラグがオフに設定されている場合（Ｓ１４でＮＯ）、Ｓ１６において、制御部２０は、通信モジュール４０を利用して、ＬＡＮ１００を介して、広告禁止フラグをオンに設定するためのオン設定要求をブロードキャストする。これにより、ＬＡＮ１００に接続されている家電機器６０、７０、８０、９０によって、オン設定要求が受信される。
【００２２】
次いで、Ｓ１７では、制御部２０は、所定期間（例えば１０秒間）に亘って、近距離通信モジュール５０に信号を発信させる。次いで、Ｓ１８において、制御部２０は、表示部１４に制御部２０に格納されている１個以上の広告情報で表される広告を表示する。次いで、Ｓ２０では、制御部２０は、広告の表示が終了すると、通信モジュール４０を利用して、ＬＡＮ１００を介して、広告禁止フラグをオフに設定するためのオフ設定要求をブロードキャストする。次いで、Ｓ２２では、制御部２０は、所定期間（例えば１０秒間）に亘って、近距離通信モジュール５０に信号を発信させて、Ｓ１２に戻る。
【００２３】
（広告禁止フラグ設定処理）
次いで、図４を参照して、家電機器１０、６０、７０、８０、９０が実行する広告禁止フラグ設定処理を説明する。ここでは、冷蔵庫１０の制御部２０が実行する広告禁止フラグ設定処理を説明するが、他の家電機器６０、７０、８０、９０も同様の広告禁止フラグ設定処理を実行する。
【００２４】
広告禁止フラグ設定処理は、電源がオンである間に、広告表示処理と並行して実行される。なお、制御部２０に格納されている広告禁止フラグは、デフォルトでオフに設定されている。広告禁止フラグ設定処理では、まず、Ｓ３２において、制御部２０は、オン設定要求が受信されることを監視している。オン設定要求が受信されない場合（Ｓ３２でＮＯ）、Ｓ３４、Ｓ３６の処理をスキップしてＳ３８に進む。一方、オン設定要求が受信される場合（Ｓ３２でＹＥＳ）、Ｓ３４において、制御部２０は、近距離通信モジュール５０で信号が受信されるか否かを判断する。
【００２５】
広告表示処理では、Ｓ１６においてオン設定要求が送信されると、Ｓ１７において、近距離通信モジュール５０が信号を発信する。このため、オン設定要求が受信され（Ｓ３２でＹＥＳ）、近距離通信モジュール５０で信号が受信される場合（Ｓ３４でＹＥＳ）、冷蔵庫１０から近距離通信モジュール５０の通信可能範囲に、広告を表示する家電機器（例えば電子レンジ６０）が位置している。Ｓ３４でＹＥＳの場合、Ｓ３６において、制御部２０は、広告禁止フラグをオンに設定して、Ｓ３８に進む。一方、近距離通信モジュール５０で信号が受信されない場合（Ｓ３４でＮＯ）、Ｓ３６の処理をスキップしてＳ３８に進む。
【００２６】
Ｓ３８では、制御部２０は、オフ設定要求が受信されることを監視している。オフ設定要求が受信されない場合（Ｓ３８でＮＯ）、Ｓ４０、Ｓ４２の処理をスキップしてＳ３２に戻る。一方、オフ設定要求が受信される場合（Ｓ３８でＹＥＳ）、Ｓ４０において、制御部２０は、近距離通信モジュール５０で信号が受信されるか否かを判断する。
【００２７】
広告表示処理では、Ｓ２０においてオフ設定要求が送信されると、Ｓ２２において、近距離通信モジュール５０が信号を発信する。このため、オフ設定要求が受信され（Ｓ３８でＹＥＳ）、近距離通信モジュール５０で信号が受信される場合（Ｓ４０でＹＥＳ）、冷蔵庫１０から近距離通信モジュール５０の通信可能範囲に、広告の表示が終了した家電機器が位置している。Ｓ４０でＹＥＳの場合、Ｓ４２において、制御部２０は、広告禁止フラグをオフに設定して、Ｓ３２に戻る。一方、近距離通信モジュール５０で信号が受信されない場合（Ｓ４０でＮＯ）、Ｓ４２の処理をスキップしてＳ３２に戻る。
【００２８】
（効果）
上記の広告表示処理では、制御部２０がオン設定要求を、他の家電機器６０、７０、８０、９０に送信することによって（Ｓ１６）、他の家電機器６０、７０、８０、９０の広告禁止フラグがオンに設定される（Ｓ３６）。これにより、他の家電機器６０、７０、８０、９０では、広告が表示されない（Ｓ１４でＹＥＳ）。この構成によれば、使用者が冷蔵庫１０から出力されている広告を確認している間に、他の家電機器６０、７０、８０、９０において、広告が出力されることを禁止することができる。これにより、使用者が注目している可能性が低い他の家電機器６０、７０、８０、９０において、広告が出力されることを抑制することができる。これにより、複数の家電機器１０、６０、７０、８０、９０が存在する状況において、広告の出力タイミングを制御することができる。
【００２９】
また、上記の広告表示処理では、冷蔵庫１０が広告を表示すべき状況において（Ｓ１４でＮＯの状況）、制御部２０は、近距離通信モジュール５０から信号を発信する。この結果、冷蔵庫１０の近距離に位置する電子レンジ６０では、信号が受信され（Ｓ３４でＹＥＳ）、広告禁止フラグがオンに設定される（Ｓ３６）。一方、冷蔵庫１０の近距離に位置しない洗濯機７０や音響機器８０、９０では、オン設定要求が受信されても（Ｓ３２でＹＥＳ）、近距離通信モジュール５０からの信号が受信されず（Ｓ３４でＮＯ）、広告禁止フラグがオンに設定されない。この構成によれば、冷蔵庫１０が広告を出力している間に、冷蔵庫１０周辺に位置する電子レンジ６０から広告が出力されることによって、冷蔵庫１０の広告の邪魔になる事態を回避することができる。さらに、冷蔵庫１０周辺に位置しない洗濯機７０や音響機器８０、９０では、広告禁止フラグがオンに設定されない。このため、例えば、冷蔵庫１０を使用している使用者とは別の使用者が、洗濯機７０を使用する状況では、洗濯機７０は、広告を出力することができる。なお、例えば、洗濯機７０で広告が出力されている状況では、音響機器８０の広告禁止フラグがオンに設定される一方、他の家電機器１０、６０、９０では、広告禁止フラグがオンに設定されない。
【００３０】
（対応関係）
表示部１４が「出力部」の一例であり、オン設定要求が「出力情報」の一例であり、近距離通信モジュール５０が「取得部」及び「信号発信部」の一例である。制御部２０が実行するＳ１６の処理が「供給部」の処理の一例であり、制御部２０が実行するＳ１４の処理が、「出力制御部」の処理の一例であり、制御部２０が実行するＳ３４の処理が、「判断部」の処理の一例である。近距離通信モジュール５０から発信される信号が「距離情報」の一例である。
【００３１】
（第２実施例）
本実施例の家電システム２について、第１実施例と異なる点を説明する。図５に示すように、本実施例の家電システム２では、冷蔵庫１０は、人感センサ２００を備えている。人感センサ２００は、制御部２０に通信可能に接続されている。人感センサ２００は、赤外線等を利用して、冷蔵庫１０周辺の使用者の存在を検出する。人感センサ２００は、制御部２０に検出結果を送信する。制御部２０は、受信された検出結果から、冷蔵庫１０周辺に人が存在することを判断する。
【００３２】
また、管理サーバ１２０が、ＬＡＮ１００を介して、家電機器１０、６０、７０、８０、９０と通信可能に接続されている。管理サーバ１２０は、家電機器１０、６０、７０、８０、９０の広告の表示状況を管理する。家電機器１０、６０、７０、８０、９０は、広告が表示されている間に、使用者が周辺に存在しない場合、広告の表示を中断する。この場合、家電機器１０、６０、７０、８０、９０は、中断されたタイミングを表すタイミング情報（例えば３０秒の広告で、１２秒で中断した場合に、１２秒を表す情報）と、中断された広告に固有の識別情報と、が組み合わせられた中断情報を、管理サーバ１２０に送信する。管理サーバ１２０は、後述する広告表示処理において、家電機器１０、６０、７０、８０、９０から送信される中断情報を受信する。管理サーバ１２０は、受信済みの中断情報を格納する。管理サーバ１２０は、家電機器１０、６０、７０、８０、９０から中断情報が要求されると、中断情報を送信する。管理サーバ１２０は、中断情報を送信すると、中断情報を、管理サーバ１２０から消去する。
【００３３】
（広告表示処理）
次いで、図６を参照して、制御部２０が実行する広告表示処理を説明する。広告表示処理は、電源がオンである間に実行される。まず、Ｓ１１２では、Ｓ１２と同様に、制御部２０は、広告を表示すべきであるか否かを監視している。広告を表示すべきであると判断される場合（Ｓ１１２でＹＥＳ）、Ｓ１１４において、制御部２０は、広告表示要求をＬＡＮ１００にブロードキャストして、Ｓ１２２に進む。これにより、他の家電機器６０、７０、８０、９０は、広告表示要求を受信する。この場合、他の家電機器６０、７０、８０、９０の制御部は、広告表示要求を格納する。
【００３４】
一方、広告を表示すべきであると判断されない場合（Ｓ１１２でＮＯ）、Ｓ１１６において、制御部２０は、他の家電機器６０、７０、８０、９０から受信された広告表示要求が制御部２０に格納されているか否かを判断する。広告表示要求が格納されていると判断される場合（Ｓ１１６でＹＥＳ）、Ｓ１２０に進み、広告表示要求が格納されていると判断されない場合（Ｓ１１６でＮＯ）、Ｓ１２０以降の処理をスキップして、Ｓ１１２に戻る。
【００３５】
Ｓ１２０では、制御部２０は、使用者が冷蔵庫１０周辺に存在しているか否かを判断する。具体的には、制御部２０は、人感センサ２００の検出結果を用いて、使用者が冷蔵庫１０周辺に存在するか否かを判断する。使用者が冷蔵庫１０周辺に存在すると判断されない場合（Ｓ１２０でＮＯ）、Ｓ１２２以降の処理をスキップして、Ｓ１１２に戻る。一方、使用者が冷蔵庫１０周辺に存在すると判断される場合（Ｓ１２０でＹＥＳ）、Ｓ１２２に進む。Ｓ１２２では、Ｓ１４と同様に、制御部２０は、制御部２０に格納されている広告禁止フラグがオンに設定されているか否かを判断する。広告禁止フラグがオンに設定されている場合（Ｓ１２２でＹＥＳ）、Ｓ１２４以降の処理をスキップして、Ｓ１１２に戻る。
【００３６】
一方、広告禁止フラグがオンに設定されていない場合（Ｓ１２２でＮＯ）、Ｓ１２４、Ｓ１２６において、Ｓ１６、Ｓ１７と同様の処理を実行する。Ｓ１２６の処理が終了すると、Ｓ１２８において、制御部２０は、中断情報要求を、管理サーバ１２０に送信する。管理サーバ１２０は、中断情報要求が受信されると、管理サーバ１２０に格納されている中断情報を返信する。一方、管理サーバ１２０は、管理サーバ１２０に中断情報が格納されていない場合、中断情報が格納されていないことを示す中断無し情報を返信する。
【００３７】
Ｓ１３０では、制御部２０は、管理サーバ１２０から中断情報が受信されたか否かを判断する。中断情報が受信される場合（Ｓ１３０でＹＥＳ）、Ｓ１３２において、制御部２０は、識別情報で特定される広告を、タイミング情報で示されるタイミングから表示して、Ｓ１３６に進む。一方、中断情報が受信されない場合、即ち、中断無し情報が受信される場合（Ｓ１３０でＮＯ）、Ｓ１３４において、制御部２０は、広告を最初から表示して、Ｓ１３６に進む。
【００３８】
Ｓ１３６では、制御部２０は、Ｓ１２０と同様に、使用者が冷蔵庫１０周辺に存在するか否かを判断する。使用者が冷蔵庫１０周辺に存在している場合（Ｓ１３６でＹＥＳ）、Ｓ１３８において、制御部２０は、広告が終了したか否かを判断する。広告が終了していない場合（Ｓ１３８でＮＯ）、Ｓ１３６に戻る。一方、広告が終了している場合（Ｓ１３８でＹＥＳ）、Ｓ１４０において、制御部２０は、広告表示要求消去要求を、ＬＡＮ１００を介してブロードキャストして、Ｓ１４６に進む。他の家電機器６０、７０、８０、９０の制御部は、広告表示要求消去要求が受信されると、制御部に格納されている広告表示要求を消去する。
【００３９】
一方、使用者が冷蔵庫１０周辺に存在していない場合（Ｓ１３６でＮＯ）、Ｓ１４２において、制御部２０は、広告の表示を中断する。次いで、Ｓ１４４では、制御部２０は、中断情報を管理サーバ１２０に送信して、Ｓ１４６に進む。
【００４０】
Ｓ１４６、Ｓ１４８では、Ｓ２０、Ｓ２２と同様の処理を実行して、Ｓ１１２に戻る。
【００４１】
（効果）
本実施例では、第１実施例と同様の効果を奏することができる。また、冷蔵庫１０の制御部２０は、使用者が冷蔵庫１０の周辺に存在していない場合に、広告の出力を中断する（Ｓ１３６でＮＯ）。これにより、冷蔵庫１０の周辺に使用者が存在しない状況において、冷蔵庫１０が広告を出力し続ける事態を回避することができる。
【００４２】
また、制御部２０は、広告を出力すべきタイミングで、中断情報が取得される場合に（Ｓ１３０）、中断タイミングから広告を表示する。この構成では、例えば、使用者が冷蔵庫１０を使用している間に、冷蔵庫１０の表示部１４から広告の出力が開始され、広告が終了しない間に、使用者が冷蔵庫１０の使用を終了し、次いで、洗濯機７０の使用を開始する状況において、洗濯機７０が中断した広告を途中から出力することができる。この構成によれば、使用者は、冷蔵庫１０で途中まで確認した広告を、洗濯機７０において最初から確認し直さなくて済む。また、使用者は、複数の家電機器１０、６０、７０、８０、９０を使用している間に、広告を最初から最後まで確認することができる。
【００４３】
なお、上記の実施例では、制御部２０は、中断情報に、タイミング情報を含めなくてもよい。この場合、中断情報が取得された他の家電機器６０、７０、８０、９０では、所定のタイミング（例えば広告の開始から５秒後）から広告の表示を開始してもよい。他の家電機器６０、７０、８０、９０でも同様である。
【００４４】
また、上記の実施例では、制御部２０は、中断情報を、他の家電機器６０、７０、８０、９０に送信してもよい。この場合、管理サーバ１２０は、配置されていなくてもよい。
【００４５】
（対応関係）
制御部２０が実行するＳ１４４の処理が「中断情報供給部」の処理の一例である。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。
【００４７】
（１）上記の各実施例では、冷蔵庫１０の制御部２０は、開閉センサ３２の検出結果に応じて、広告を表示すべきであると判断している（例えばＳ１２）。しかしながら、制御部２０は、開閉センサ３２と共に、あるいはこれに替えて、広告を表示すべきか否かを判断するために利用される人感センサ、温度センサ等を備えていてもよい。この場合、制御部２０は、各センサの検出結果に応じて、使用者が近くに存在すると判断される場合に、広告を表示すべきであると判断してもよい。他の家電機器６０、７０、８０、９０も同様である。
【００４８】
（２）上記の各実施例では、制御部２０は、オン設定要求及びオフ設定要求を、ＬＡＮ１００にブロードキャストする（例えばＳ１６、Ｓ２０）。しかしながら、制御部２０は、オン設定要求及びオフ設定要求の少なくとも一方を、ＬＡＮ１００を介して、他の家電機器６０、７０、８０、９０のそれぞれを指定して送信してもよい。他の家電機器６０、７０、８０、９０も同様である。
【００４９】
（３）上記の各実施例では、家電機器１０、６０、７０、８０、９０は、広告を表示している。しかしながら、広告の出力の態様はこれに限られない。例えば、家電機器１０、６０、７０、８０、９０は、広告を表示する以外に、音声で出力してもよいし、紙等の媒体に印字して出力してもよい。
【００５０】
（４）複数の家電機器１０、６０、７０、８０、９０が、互いの距離を特定する方法は、近距離通信モジュール５０の信号の発信及び受信に限られず、例えば、一方の家電機器から送信される電波を他方の家電機器が受信し、他方の家電機器が受信された電波の強度を用いて、距離を特定してもよいし、家電機器の位置情報を通信してもよい。
【００５１】
（５）上記の各実施例では、制御部２０は、オン設定要求をＬＡＮ１００にブロードキャストする（例えばＳ１６、Ｓ２０）ことによって、冷蔵庫１０の表示部１４に、広告が出力されることを、他の家電機器６０、７０、８０、９０に供給する。しかしながら、制御部２０は、表示部１４に広告が出力されることを、音声や画像等で出力してもよい。この場合、他の家電機器６０、７０、８０、９０は、表示部１４から出力された音声や画像等を取得することによって、表示部１４に広告が出力されることを認識してもよい。この場合、各家電機器１０、６０、７０、８０、９０は、音声を認識するマイク、画像を認識するカメラ、音声を出力するスピーカ等を備えていてもよい。本変形例では、表示部１４に広告が出力されることを示す音声や画像等が、「出力情報」の一例である。
【００５２】
（６）広告表示処理において、制御部２０は、近距離通信モジュール５０に信号を発信させなくてもよい。即ち、第１実施例において、Ｓ１７の処理を実行しなくてもよく、第２実施例において、Ｓ１２６の処理を実行しなくてもよい。この場合、冷蔵庫１０は、近距離通信モジュール５０を備えていなくてもよい。また、この場合、広告禁止フラグ設定処理では、制御部２０は、Ｓ３４及びＳ４０の処理を実行しなくてもよい。他の家電機器６０、７０、８０、９０も同様である。
【００５３】
これら実施形態やその変形は、発明の範囲や要旨に含まれると同様に、特許請求の範囲に記載された発明とその均等の範囲に含まれるものである。
【符号の説明】
【００５４】
２      ：家電システム
４      ：居間
６      ：洗面浴室
７      ：トイレ
８      ：寝室
９      ：玄関
１０    ：冷蔵庫
１２    ：筐体
１４    ：表示部
１６    ：操作部
２０    ：制御部
３０    ：冷蔵冷凍装置
３２    ：開閉センサ
４０    ：通信モジュール
５０    ：近距離通信モジュール
６０    ：電子レンジ
７０    ：洗濯機
８０    ：音響機器
９０    ：音響機器
１００  ：有線ネットワーク
１０２  ：アクセスポイント
１０４  ：インターネット
１１０  ：広告サーバ
１２０  ：管理サーバ
２００  ：人感センサ
【図１】
2019114971.tif 000003
【図２】
2019114971.tif 000004
【図３】
2019114971.tif 000005
【図４】
2019114971.tif 000006
【図５】
2019114971.tif 000007
【図６】
2019114971.tif 000008